(57)【要約】【課題】位置追跡サービスの機能を行うとき、ＧＰＳ性能に影響を及ぼすＣＤＭＡ信号の干渉影響を高周波経路上で最小化させてＧＰＳ性能を向上し得る高周波受信装置及び方法を提供する。【解決手段】位置追跡サービスが要請されると、ＣＤＭＡ信号パワーの強さをチェックし、該信号パワーの強さによって、高周波マッチング経路のスイッチングを制御する制御部と、制御部の制御によりＣＤＭＡ信号を第１または第２ＣＤＭＡ高周波マッチング部にスイッチングするスイッチと、該信号パワーの強さを変化させることなくＣＤＭＡ信号を高周波マッチングする第１ＣＤＭＡ高周波マッチング部と、該信号パワーの強さを所定レベルに減少させながらＣＤＭＡ信号を高周波マッチングする第２ＣＤＭＡ高周波マッチング部と、第１または第２ＣＤＭＡ高周波マッチング部から出力されるＣＤＭＡ信号を増幅する低雑音増幅器とを含んで移動通信端末機の高周波受信装置を構成する。【選択図】図１
2005033803.tif 000002
【特許請求の範囲】
【請求項１】
位置追跡サービスが要請されると、ＣＤＭＡ信号のパワーの強さをチェックし、該ＣＤＭＡ信号のパワーの強さによって、ＣＤＭＡ高周波マッチング経路のスイッチングを制御する制御部と、
該制御部の制御によって、前記ＣＤＭＡ信号を第１ＣＤＭＡ高周波マッチング部及び第２ＣＤＭＡ高周波マッチング部中何れか一つにスイッチングするスイッチと、
前記ＣＤＭＡ信号のパワーの強さを変化させることなく該ＣＤＭＡ信号を高周波マッチングする前記第１ＣＤＭＡ高周波マッチング部と、
前記ＣＤＭＡ信号のパワーの強さを所定レベルに減少させながら該ＣＤＭＡ信号を高周波マッチングする前記第２ＣＤＭＡ高周波マッチング部と、
前記第１ＣＤＭＡ高周波マッチング部及び前記第２ＣＤＭＡ高周波マッチング部中何れか一つから出力されるＣＤＭＡ信号を増幅する低雑音増幅器と、
を含んで構成されることを特徴とする移動通信端末機の高周波受信装置。
【請求項２】
前記制御部は、前記ＣＤＭＡ信号のパワーの強さと基準パワーの強さとを比較し、前記ＣＤＭＡ信号のパワーの強さが前記基準パワーの強さより小さくないと、前記ＣＤＭＡ信号を前記第２ＣＤＭＡ高周波マッチング部にスイッチングするための第１スイッチング制御信号を前記スイッチに出力することを特徴とする請求項１記載の移動通信端末機の高周波受信装置。
【請求項３】
前記基準パワーの強さは、前記ＣＤＭＡ信号がＧＰＳ高周波受信性能に干渉影響を与えると判断されるパワーの強さに設定されることを特徴とする請求項２記載の移動通信端末機の高周波受信装置。
【請求項４】
前記スイッチにより前記第２ＣＤＭＡ高周波マッチング部が選択されたとき、ＧＰＳ信号が受信されて該受信されたＧＰＳ信号を利用して移動通信端末機の擬似距離（ｐｓｅｕｄｏ  ｒａｎｇｅ）が計算されると、前記制御部は、前記第１ＣＤＭＡ高周波マッチング部を選択するための第２スイッチング制御信号を前記スイッチに出力することを特徴とする請求項２記載の移動通信端末機の高周波受信装置。
【請求項５】
前記ＣＤＭＡ信号のパワーの強さが前記基準パワーの強さよりも小さいと、前記制御部は、前記ＣＤＭＡ信号を前記第１ＣＤＭＡ高周波マッチング部にスイッチングするための第３スイッチング制御信号を前記スイッチに出力することを特徴とする請求項２記載の移動通信端末機の高周波受信装置。
【請求項６】
前記制御部の制御によって、アンテナから受信されたＧＰＳ信号とＣＤＭＡ信号とを分離するスイッチング部と、
該スイッチング部によりスイッチングされたＧＰＳ信号を高周波マッチングするＧＰＳ高周波マッチング部と、
該ＧＰＳ高周波マッチング部から出力されるＧＰＳ信号を増幅する低雑音増幅器と、
をさらに含むことを特徴とする請求項１記載の移動通信端末機の高周波受信装置。
【請求項７】
前記第１ＣＤＭＡ高周波マッチング部は、
前記スイッチの第１出力ピンと直列に連結された第１コンデンサと、
該第１コンデンサと前記低雑音増幅器間に直列に連結された第１コイルと、
前記第１コンデンサと前記第１コイルとの接続点と接地点間に連結された第２コンデンサと、
を含んで構成されることを特徴とする請求項１記載の移動通信端末機の高周波受信装置。
【請求項８】
前記第２ＣＤＭＡ高周波マッチング部は、
前記スイッチの第２出力ピンと直列に連結された第３コンデンサと、
該第３コンデンサと直列に連結された第２コイルと、
前記第３コンデンサと前記第２コイルとの接続点と接地点間に連結された第４コンデンサと、
前記第２コイルと前記低雑音増幅器間に直列に連結された抵抗と、
を含んで構成されることを特徴とする請求項７記載の移動通信端末機の高周波受信装置。
【請求項９】
前記第１ＣＤＭＡ高周波マッチング部は、
前記スイッチの第１出力ピンと直列に連結され、第１特性インピーダンスを有する第１印刷回路基板（以下、ＰＣＢと略称す）ラインと、
該第１ＰＣＢラインと直列に連結された第１コンデンサと、
該第１コンデンサと前記低雑音増幅器間に直列に連結された第１コイルと、
前記第１コンデンサと前記第１コイルとの接続点と接地点間に連結された第２コンデンサと、
を含んで構成されることを特徴とする請求項１記載の移動通信端末機の高周波受信装置。
【請求項１０】
前記第２ＣＤＭＡ高周波マッチング部は、
前記スイッチの第２出力ピンと直列に連結され、第２特性インピーダンスを有する第２ＰＣＢラインと、
該第２ＰＣＢラインと直列に連結された第３コンデンサと、
該第３コンデンサと前記低雑音増幅器間に直列に連結された第２コイルと、
前記第３コンデンサと前記第２コイルとの接続点と接地点間に連結された第４コンデンサと、
を含んで構成されることを特徴とする請求項９記載の移動通信端末機の高周波受信装置。
【請求項１１】
前記第２特性インピーダンスは、前記第１特性インピーダンスよりも大きいことを特徴とする請求項１０記載の移動通信端末機の高周波受信装置。
【請求項１２】
位置追跡サービスが要請されると、ＣＤＭＡ信号のパワーの強さをチェックする過程と、
前記ＣＤＭＡ信号がＧＰＳ高周波受信性能に干渉影響を与えないと判断されると、ＣＤＭＡ信号の高周波マッチング経路を第１経路に維持する過程と、
前記ＣＤＭＡ信号がＧＰＳ高周波受信性能に干渉影響を与えると判断されると、ＣＤＭＡ信号の高周波マッチング経路を第２経路にスイッチングする過程と、
を行うことを特徴とする移動通信端末機の高周波受信方法。
【請求項１３】
前記第２経路は、前記ＣＤＭＡ信号のパワーの強さを所定レベルに減少させながら高周波マッチングするための高周波マッチング経路であることを特徴とする請求項１２記載の移動通信端末機の高周波受信方法。
【請求項１４】
前記第２経路は、前記第１経路のＰＣＢラインの特性インピーダンスよりもさらに大きい特性インピーダンスを有するＰＣＢラインを備えることを特徴とする請求項１２記載の移動通信端末機の高周波受信方法。
【請求項１５】
前記第１経路は、前記ＣＤＭＡ信号のパワーの強さを変化させることなく高周波マッチングするための高周波マッチング経路であることを特徴とする請求項１２記載の移動通信端末機の高周波受信方法。
【請求項１６】
前記ＣＤＭＡ信号がＧＰＳ高周波受信性能に与える干渉影響が最小化された状態で、ＧＰＳ高周波受信経路を通してＧＰＳ衛星情報を受信する過程と、
前記ＧＰＳ衛星情報を利用して前記移動通信端末機の擬似距離を計算する過程と、
前記擬似距離及び前記ＧＰＳ衛星情報を移動通信端末機から位置計算基地局に送信する過程と、
をさらに行うことを特徴とする請求項１２記載の移動通信端末機の高周波受信方法。
【請求項１７】
前記ＣＤＭＡ信号の高周波マッチング経路を前記第１経路にスイッチングする過程をさらに行うことを特徴とする請求項１６記載の移動通信端末機の高周波受信方法。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）機能及びＣＤＭＡ（Ｃｏｄｅ  Ｄｉｖｉｓｉｏｎ  Ｍｕｌｔｉｐｌｅ  Ａｃｃｅｓｓ）機能を行う移動通信端末機の高周波（Ｒａｄｉｏ  Ｆｒｅｑｕｅｎｃｙ；ＲＦ）受信装置及びその方法に関するものである。
【背景技術】
【０００２】
位置追跡サービスは、ＣＤＭＡ基盤の移動通信網の基地局を通じた電波探知特性を利用して、移動通信端末機の位置をリアルタイムに自動確認及び追跡するサービスであって、ＣＤＭＡ網における位置追跡サービスは、ＧＰＳ及び移動通信網を利用して移動通信端末機の位置を把握及び追跡する。
【０００３】
前記ＣＤＭＡ網の位置追跡サービスの一例としてＥ９１１（Ｅｍｅｒｇｅｎｃｙ  ９１１）サービスがあり、Ｅ９１１サービスは、ＧＰＳ信号を受信可能な移動通信端末機の位置を確認し、該確認された移動通信端末機の位置を消防署などの緊急救助機関に知らせるサービスである。
【０００４】
このようなＥ９１１サービスを提供するために、移動通信端末機は、ＧＰＳ信号を受信可能なアンテナ及びＧＰＳ受信装置を備え、位置計算基地局（Ｐｏｓｉｔｉｏｎ  Ｄｅｔｅｒｍｉｎａｔｉｏｎ  Ｅｎｔｉｔｙ；ＰＤＥ）は、前記移動通信端末機のＧＰＳ受信装置に受信された情報を利用して前記移動通信端末機の位置を計算する。
【０００５】
ＧＰＳ機能及びＣＤＭＡ機能を行う移動通信端末機の高周波受信装置の場合、ＧＰＳ高周波信号のためのＧＰＳ経路と、ＣＤＭＡ高周波信号のためのＣＤＭＡ経路とがある。
【０００６】
図５は、このような一般の移動通信端末機の高周波受信装置の構成を示したブロック図で、図示されたように、一般の移動通信端末機の高周波受信装置は、ＧＰＳ信号の周波数帯域特性及びＣＤＭＡ信号の周波数帯域特性を有するアンテナ５と、該アンテナ５から受信されたＧＰＳ信号とＣＤＭＡ信号とを分離するスイッチング部１０と、該スイッチング部１０から伝送されるＧＰＳ信号の高周波マッチング機能を行うＧＰＳ高周波マッチング部（Ｒａｄｉｏ  Ｆｒｅｑｕｅｎｃｙ  Ｍａｔｃｈｉｎｇ  Ｕｎｉｔ）２０と、該ＧＰＳ高周波マッチング部２０から出力されるＧＰＳ信号を増幅する第１低雑音増幅器（Ｌｏｗ  Ｎｏｉｓｅ  Ａｍｐｌｉｆｉｅｒ；ＬＮＡ）３０と、前記スイッチング部１０から伝送されるＣＤＭＡ信号の高周波マッチング機能を行うＣＤＭＡ高周波マッチング部４０と、該ＣＤＭＡ高周波マッチング部４０から出力されるＣＤＭＡ信号を増幅する第２低雑音増幅器５０と、を含んで構成されている。
【０００７】
且つ、前記ＣＤＭＡ高周波マッチング部４０は、図６（Ａ）に示したように、各コンデンサＣ１、Ｃ２及びコイルＬ１から構成することができるし、図６（Ｂ）に示したように、所定の特性インピーダンス値（例えば、５０Ω）を有する印刷回路基板（以下、ＰＣＢと略称す）ライン４１をさらに含んで構成することもできる。
【０００８】
以下、このように構成された一般の移動通信端末機の高周波受信装置の動作を説明する。
【０００９】
ＧｐｓＯＮＥ機能（位置追跡サービス）のためのＥ９１１サービスが使用者により要請されると、移動通信端末機は、スイッチング部１０を通してＧＰＳ経路とＣＤＭＡ経路間のスイッチングを行いながら、Ｅ９１１サービスのために衛星を探索する。
【００１０】
衛星の位置情報及び衛星番号を含むＧＰＳ信号は、移動通信端末機のアンテナ５に受信された後、前記スイッチング部１０によりＧＰＳ経路にスイッチングされる。移動通信端末機は、ＧＰＳ信号を利用して擬似距離（ｐｓｅｕｄｏ  ｒａｎｇｅ）を計算し、該計算された擬似距離情報及び衛星の位置情報をＣＤＭＡチャネルを通して位置計算基地局（ＰＤＥ）に送信する。
【００１１】
次いで、前記位置計算基地局（ＰＤＥ）は、移動通信端末機から伝送された擬似距離情報及び衛星の位置情報を利用して移動通信端末機の位置を計算し、該計算された移動通信端末機の位置情報を緊急救助機関に知らせる。
【特許文献１】韓国特許出願公開第２００３−０００７３５０号明細書
【特許文献２】特開２００２−３５４０７３号公報
【特許文献３】特開２００３−１３９８３９号公報
【特許文献４】米国特許６３２７４７３号明細書
【発明の開示】
【発明が解決しようとする課題】
【００１２】
しかしながら、このような一般の移動通信端末機の高周波受信装置においては、Ｅ９１１サービス機能が動作するとき、ＣＤＭＡモード及びＧＰＳモードの二つの機能をハイブリッド形態で利用するため、高周波経路（ＲＦ  ｐａｔｈ）上でＣＤＭＡ信号のパワーの強さが大きい場合、ＣＤＭＡ信号がＧＰＳ経路に干渉影響を与えるため、ＧＰＳ信号の受信感度が低下し、移動通信端末機の衛星探索性能が低下するという問題点があった。且つ、衛星探索性能の低下により、危急状況時に使用者の位置計算を正確に行い得ないという問題点があった。
【００１３】
本発明は、このような従来の課題に鑑みてなされたもので、位置追跡サービスの機能を行うとき、ＧＰＳ性能に影響を及ぼすＣＤＭＡ信号の干渉影響を高周波経路上で最小化させてＧＰＳ性能を向上し得る移動通信端末機の高周波受信装置及びその方法を提供することを目的とする。  
【課題を解決するための手段】
【００１４】
このような目的を達成するため、本発明に係る移動通信端末機の高周波受信装置は、位置追跡サービスが要請されると、ＣＤＭＡ信号のパワーの強さをチェックし、該ＣＤＭＡ信号のパワーの強さによって、ＣＤＭＡ高周波マッチング経路のスイッチングを制御する制御部と、該制御部の制御によって、前記ＣＤＭＡ信号を第１ＣＤＭＡ高周波マッチング部及び第２ＣＤＭＡ高周波マッチング部中何れか一つにスイッチングするスイッチと、前記ＣＤＭＡ信号のパワーの強さを変化させることなく該ＣＤＭＡ信号を高周波マッチングする前記第１ＣＤＭＡ高周波マッチング部と、前記ＣＤＭＡ信号のパワーの強さを所定レベルに減少させながら該ＣＤＭＡ信号を高周波マッチングする前記第２ＣＤＭＡ高周波マッチング部と、前記第１ＣＤＭＡ高周波マッチング部及び前記第２ＣＤＭＡ高周波マッチング部中何れか一つから出力されるＣＤＭＡ信号を増幅する低雑音増幅器と、を含んで構成されることを特徴とする。
【００１５】
また、前記制御部は、前記ＣＤＭＡ信号のパワーの強さと基準パワーの強さとを比較し、前記ＣＤＭＡ信号のパワーの強さが前記基準パワーの強さより小さくないと、前記ＣＤＭＡ信号を前記第２ＣＤＭＡ高周波マッチング部にスイッチングするための第１スイッチング制御信号を前記スイッチに出力することを特徴とする。
【００１６】
また、前記スイッチにより前記第２ＣＤＭＡ高周波マッチング部が選択されたとき、ＧＰＳ信号が受信されて該受信されたＧＰＳ信号を利用して移動通信端末機の擬似距離が計算されると、前記制御部は、前記第１ＣＤＭＡ高周波マッチング部を選択するための第２スイッチング制御信号を前記スイッチに出力することを特徴とする。
【００１７】
また、前記ＣＤＭＡ信号のパワーの強さが前記基準パワーの強さよりも小さいと、前記制御部は、前記ＣＤＭＡ信号を前記第１ＣＤＭＡ高周波マッチング部にスイッチングするための第３スイッチング制御信号を前記スイッチに出力することを特徴とする。
【００１８】
また、前記移動通信端末機の高周波受信装置は、前記制御部の制御によって、アンテナから受信されたＧＰＳ信号とＣＤＭＡ信号とを分離するスイッチング部と、該スイッチング部によりスイッチングされたＧＰＳ信号を高周波マッチングするＧＰＳ高周波マッチング部と、該ＧＰＳ高周波マッチング部から出力されるＧＰＳ信号を増幅する低雑音増幅器と、をさらに含んで構成されることを特徴とする。
【００１９】
そして、本発明に係る移動通信端末機の高周波受信方法は、位置追跡サービスが要請されると、ＣＤＭＡ信号のパワーの強さをチェックする過程と、前記ＣＤＭＡ信号がＧＰＳ高周波受信性能に干渉影響を与えないと判断されると、ＣＤＭＡ信号の高周波マッチング経路を第１経路に維持する過程と、前記ＣＤＭＡ信号がＧＰＳ高周波受信性能に干渉影響を与えると判断されると、ＣＤＭＡ信号の高周波マッチング経路を第２経路にスイッチングする過程と、を行うことを特徴とする。
【００２０】
また、前記第２経路は、前記ＣＤＭＡ信号のパワーの強さを所定レベルに減少させながら高周波マッチングするための高周波マッチング経路であることを特徴とする。
【００２１】
また、前記第１経路は、前記ＣＤＭＡ信号のパワーの強さを変化させることなく高周波マッチングするための高周波マッチング経路であることを特徴とする。
【００２２】
また、前記第２経路は、前記第１経路のＰＣＢラインの特性インピーダンスよりもさらに大きい特性インピーダンスを有するＰＣＢラインを備えることを特徴とする。
【００２３】
また、前記移動通信端末機の高周波受信方法は、前記ＣＤＭＡ信号がＧＰＳ高周波受信性能に与える干渉影響が最小化された状態で、ＧＰＳ高周波受信経路を通してＧＰＳ衛星情報を受信する過程と、前記ＧＰＳ衛星情報を利用して前記移動通信端末機の擬似距離を計算する過程と、前記擬似距離及び前記ＧＰＳ衛星情報を移動通信端末機から位置計算基地局に送信する過程と、前記ＣＤＭＡ信号の高周波マッチング経路を前記第１経路にスイッチングする過程と、をさらに行う。
【発明の効果】
【００２４】
本発明に係る移動通信端末機の高周波受信装置及びその方法は、移動通信端末機の動作モードがＣＤＭＡモードからＧＰＳモードに切り替わるとき、ＣＤＭＡ受信信号のパワーの強さを確認し、該ＣＤＭＡ信号のパワーの強さがＧＰＳ性能に干渉影響を与える基準パワーの強さよりも大きいとき、ＣＤＭＡ信号のパワーの強さを減少させる高周波マッチング経路を選択することで、ＣＤＭＡ信号がＧＰＳ性能に与える干渉影響を最小化し得るという効果がある。
【００２５】
また、本発明は、ＣＭＤＡ信号による干渉影響を最小化してＧＰＳ信号を受信することで、最適の条件でＧＰＳ衛星を探索し得るという効果がある。
【００２６】
また、本発明は、ＧＰＳ衛星を探索する性能の向上により、移動通信端末機の擬似距離をより正確に計算し得るという効果がある。
【００２７】
また、本発明は、移動通信端末機の高周波経路の最適の条件で受信されたＧＰＳ信号及び正確に計算された擬似距離情報を位置計算基地局（ＰＤＥ）に送信することで、該位置計算基地局（ＰＤＥ）により、移動通信端末機から受信された情報を利用して移動通信端末機の位置を正確に追跡し得るという効果がある。
【発明を実施するための最良の形態】
【００２８】
以下、本発明の最良の実施形態について図面に基づいて説明する。
【００２９】
まず、図１は、本発明に係る移動通信端末機の高周波受信装置の構成を示したブロック図で、図示されたように、本発明に係る移動通信端末機の高周波受信装置は、ＧＰＳ信号の周波数帯域特性及びＣＤＭＡ信号の周波数帯域特性を有するアンテナ５と、該アンテナ５から受信されたＧＰＳ信号とＣＤＭＡ信号とを移動通信端末機の動作モードによって分離するスイッチング部１０と、該スイッチング部１０から伝送されるＧＰＳ信号の高周波マッチング機能を行うＧＰＳ高周波マッチング部２０と、該ＧＰＳ高周波マッチング部２０から出力されるＧＰＳ信号を増幅する第１低雑音増幅器（Ｌｏｗ  Ｎｏｉｓｅ  Ａｍｐｌｉｆｉｅｒ；ＬＮＡ）３０と、前記スイッチング部１０から伝送されるＣＤＭＡ信号のパワーの強さによって、前記ＣＤＭＡ信号を第１ＣＤＭＡ高周波マッチング部４０及び第２ＣＤＭＡ高周波マッチング部２００中何れか一つにスイッチングするスイッチ１００と、前記スイッチングされたＣＤＭＡ信号を、該ＣＤＭＡ信号のパワーの強さを変化させることなく高周波マッチングさせる前記第１ＣＤＭＡ高周波マッチング部４０と、前記スイッチングされたＣＤＭＡ信号を、該ＣＤＭＡ信号のパワーの強さを減少させながら高周波マッチングさせる前記第２ＣＤＭＡ高周波マッチング部２００と、前記第１ＣＤＭＡ高周波マッチング部４０及び前記第２ＣＤＭＡ高周波マッチング部２００中何れか一つから出力されるＣＤＭＡ信号を増幅する第２低雑音増幅器５０と、を含んで構成されている。
【００３０】
前記移動通信端末機の動作モードがＣＤＭＡモードからＧＰＳモードに切り替わるとき、移動通信端末機の制御部（Ｍｏｂｉｌｅ  Ｓｔａｔｉｏｎ  Ｍｏｄｅｍ；以下、ＭＳＭと略称す、図示せず）は、高周波経路上に受信されたＣＤＭＡ信号のパワーの強さをチェックし、該ＣＤＭＡ信号のパワーの強さによって、前記スイッチ１００のスイッチング動作を制御する。
【００３１】
前記第１ＣＤＭＡ高周波マッチング部４０は、図２に示したように、前記スイッチ１００の二つの出力ピン中何れか一つと直列に連結された第１コンデンサＣ１と、該第１コンデンサＣ１と前記第２低雑音増幅器５０間に直列に連結された第１コイルＬ１と、前記第１コンデンサＣ１と前記第１コイルＬ１との接続点と接地点間に連結された第２コンデンサＣ２と、を含んで構成されている。
【００３２】
また、前記第２ＣＤＭＡ高周波マッチング部２００は、図２に示したように、前記スイッチ１００の他の一つの出力ピンと直列に連結された第３コンデンサＣ１１と、該第３コンデンサＣ１１と直列に連結された第２コイルＬ１１と、前記第３コンデンサＣ１１と前記第２コイルＬ１１との接続点と接地点間に連結された第４コンデンサＣ１２と、前記第２コイルＬ１１と前記第２低雑音増幅器５０間に直列に連結された抵抗Ｒ１１と、を含んで構成されている。
【００３３】
また、前記抵抗Ｒ１１により前記ＣＤＭＡ信号のパワーの強さが減少するので、前記第２ＣＤＭＡ高周波マッチング部２００は、前記ＣＤＭＡ信号のパワーの強さを減少させながら高周波マッチング機能を行う。このようなＣＤＭＡ信号のパワーの強さを減少させるための抵抗Ｒ１１は、ＣＤＭＡ性能を阻害しないように設計される。
【００３４】
且つ、前記第１ＣＤＭＡ高周波マッチング部４０及び前記第２ＣＤＭＡ高周波マッチング部２００は、図３に示したように構成することもできる。
【００３５】
図３の第１ＣＤＭＡ高周波マッチング部４０は、前記スイッチ１００の二つの出力ピン中何れか一つ（第１出力ピン）と直列に連結され、第１特性インピーダンスを有する第１ＰＣＢライン４１と、該第１ＰＣＢライン４１と直列に連結された第１コンデンサＣ１と、該第１コンデンサＣ１と前記第２低雑音増幅器５０間に直列に連結された第１コイルＬ１と、前記第１コンデンサＣ１と前記第１コイルＬ１との接続点と接地点間に連結された第２コンデンサＣ２と、を含んで構成されている。
【００３６】
また、図３の第２ＣＤＭＡ高周波マッチング部２００は、前記スイッチ１００の他の一つの出力ピン（第２出力ピン）と直列に連結され、第２特性インピーダンスを有する第２ＰＣＢライン２０１と、該第２ＰＣＢラインと直列に連結された第３コンデンサＣ２１と、該第３コンデンサＣ２１と前記第２低雑音増幅器５０間に直列に連結された第２コイルＬ２１と、前記第３コンデンサＣ２１と前記第２コイルＬ２１との接続点と接地点間に連結された第４コンデンサＣ２２と、を含んで構成されている。
【００３７】
また、前記第１ＰＣＢライン４１の第１特性インピーダンスは、ＣＤＭＡ信号のパワーの強さを変化させないように小さい値に選択され、前記第２ＰＣＢライン２０１の第２特性インピーダンスは、基準パワーの強さよりも大きいＣＤＭＡ信号のパワーの強さを減少し得るように大きい値に選択され、前記第２ＰＣＢライン２０１は、ＣＤＭＡ性能を阻害しないように設計される。ここで、前記基準パワーの強さは、ＣＤＭＡ信号のパワーの強さがＧＰＳ性能に影響を与えると判断されるパワーの強さをいう。
【００３８】
以下、このように構成された本発明に係る移動通信端末機の高周波受信装置の動作を説明する。
【００３９】
図４は、本発明に係る移動通信端末機のＣＤＭＡ受信信号のパワーの強さを考慮した高周波信号受信方法を示すフローチャートで、図示されたように、位置追跡サービス（例えば、Ｅ９１１サービス）が使用者により要請されると（ステップＳ１０）、移動通信端末機の制御部であるＭＳＭは、動作モードをＣＤＭＡモードからＧＰＳモードに切り替え、認識されたＣＤＭＡ信号のパワーの強さを基準パワーの強さと比較する（ステップＳ１２）。このとき、前記移動通信端末機の動作モードの切替によって、前記スイッチング部１０は、高周波経路をＣＤＭＡ経路からＧＰＳ経路にスイッチングする。且つ、前記認識されたＣＤＭＡ信号は、前記スイッチング部１０により高周波経路がＧＰＳ経路にスイッチングされる直前に受信されたＣＤＭＡ信号を示す。
【００４０】
次いで、前記ＭＳＭは、前記ＣＤＭＡ信号のパワーの強さが前記基準パワーの強さよりも小さいと、ＣＤＭＡ受信信号のパワーの強さがＧＰＳ性能に干渉影響を与えないと判断して、スイッチ１００の動作状態を維持する。よって、前記スイッチ１００は、入力ピンと第１出力ピンとが連結された状態を維持することで、第１ＣＤＭＡ高周波マッチング部４０が選択された状態を維持する。移動通信端末機のＭＳＭは、アンテナ５、スイッチング部１０、ＧＰＳ高周波マッチング部２０及び第１低雑音増幅器３０を通して受信されたＧＰＳ信号を利用して、移動通信端末機の擬似距離を計算し（ステップＳ１４）、該計算された移動通信端末機の擬似距離情報及び前記受信されたＧＰＳ信号をＣＤＭＡ送信チャネルを通して位置計算基地局（ＰＤＥ）に送信する（ステップＳ１６）。
【００４１】
しかし、前記ＣＤＭＡ信号のパワーの強さが前記基準パワーの強さより小さくないと、前記ＭＳＭは、ＣＤＭＡ受信信号のパワーの強さがＧＰＳ性能に干渉影響を与えると判断して、スイッチ１０のスイッチング動作を制御する。よって、前記スイッチ１００は、入力ピンを第１出力ピンから第２出力ピンにスイッチングすることで、前記スイッチング部１０の出力信号が第２ＣＤＭＡ高周波マッチング部２００に伝送されるようにする（ステップＳ１８）。従って、高周波受信回路はＣＤＭＡ信号の干渉影響が最小化された状態でＧＰＳ信号を受信することができるので、ＧＰＳ衛星をより正確に探索することができる。移動通信端末機のＭＳＭは、ＣＤＭＡ信号の干渉影響が最小化された状態で、ＧＰＳ経路を通して受信されたＧＰＳ信号を利用して移動通信端末機の擬似距離を計算し（ステップＳ２０）、該計算された移動通信端末機の擬似距離情報及び前記受信されたＧＰＳ信号をＣＤＭＡ送信チャネルを通して位置計算基地局（ＰＤＥ）に送信する（ステップＳ２２）。その後、移動通信端末機のＭＳＭは、スイッチ１００の状態を元の状態に戻し、該スイッチ１００は、入力ピンを第１出力ピンにスイッチングすることで、ＣＤＭＡ経路を第１ＣＤＭＡ高周波マッチング部４０に選択する（ステップＳ２４）。よって、移動通信端末機の高周波受信回路は、非常に大きい強さのＣＤＭＡ信号が受信されるとき、ＣＤＭＡ信号のパワーの強さを減少させながら高周波マッチング機能を行うことで、ＣＤＭＡ信号がＧＰＳ感度に干渉影響を与えることを防止する。
【００４２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４３】
【図１】本発明に係る移動通信端末機の高周波受信装置の構成を示したブロック図である。
【図２】本発明に係るＣＤＭＡ高周波マッチング部の一実施例を示した回路図である。
【図３】本発明に係るＣＤＭＡ高周波マッチング部の他の実施例を示した回路図である。
【図４】本発明に係る移動通信端末機の高周波受信方法を示したフローチャートである。
【図５】一般の移動通信端末機の高周波受信装置の構成を示したブロック図である。
【図６Ａ】図６Ａは、一般のＣＤＭＡ高周波マッチング部の実施例をそれぞれ示した回路図である。
【図６Ｂ】図６Ｂは、一般のＣＤＭＡ高周波マッチング部の実施例をそれぞれ示した回路図である。
【図１】
2005033803.tif 000003
【図２】
2005033803.tif 000004
【図３】
2005033803.tif 000005
【図４】
2005033803.tif 000006
【図５】
2005033803.tif 000007
【図６Ａ】
2005033803.tif 000008
【図６Ｂ】
2005033803.tif 000009